(57)【特許請求の範囲】
【請求項１】
扱室下方に設置される揺動選別体を駆動機構に着脱可能に取着し、該揺動選別体を機壁に設けたガイドレール上を移動させて機外へ引き出すようにした脱穀機において、前記揺動選別体の前側に係止部材を設け、かつ、ガイドレールの後部側には前記係止部材が係合する係合部を設けて、揺動選別体の引き出し時に前記係止部材が係合部と係合するようになし、両者が係合した状態で揺動選別体を下方に回動させ、引き出された揺動選別体を立掛状に保持できるように構成したことを特徴とする脱穀機における揺動選別体の引き出し装置。
【請求項２】
係止部材を揺動選別体の底部に設け、該係止部材をガイドレールに対するスライド部材で構成したことを特徴とする請求項１記載の脱穀機における揺動選別体の引き出し装置。
【発明の詳細な説明】
【０００１】
【発明の属する技術分野】
この発明は、脱穀機における揺動選別体の引き出し装置に関する。
【０００２】
【従来の技術】
従来、扱室下方の選別風路に駆動機構と支持リンク等により支架され、扱室で脱穀された脱穀物を受けて揺動選別する揺動選別体は、その選別網等に目詰まりを生じたり、脱穀機内のメンテナンス作業を行う場合には、脱穀機の後方を開放して、その開口部から上記揺動選別体を機外に取り出し、揺動選別体及び脱穀機内の掃除及びメンテナンス作業を行うように構成されている。
【０００３】
【発明が解決しようとする課題】
しかし、上記従来の揺動選別体は、その全体を機外へ取り出すことによって、該揺動選別体及び脱穀機内の掃除及びメンテナンス作業を行うようにしているため、重量の重い揺動選別体を脱穀機の一側から機外へ取り出すためには一人作業では到底不可能であり、少なくとも２〜３人の作業者を必要としていた。
【０００４】
【課題を解決するための手段】
上記従来の問題点を解決するために本発明の脱穀機における揺動選別体の引き出し装置は、第１に、扱室下方に設置される揺動選別体を駆動機構に着脱可能に取着し、該揺動選別体を機壁に設けたガイドレール上を移動させて機外へ引き出すようにした脱穀機において、前記揺動選別体の前側に係止部材を設け、かつ、ガイドレールの後部側には前記係止部材が係合する係合部を設けて、揺動選別体の引き出し時に前記係止部材が係合部と係合するようになし、両者が係合した状態で揺動選別体を下方に回動させ、引き出された揺動選別体を立掛状に保持できるように構成したことを特徴としている。
【０００５】
第２に、係止部材を揺動選別体の底部に設けを、該係止部材をガイドレールに対するスライド部材で構成したことを特徴としている。
【０００６】
【作用】
揺動選別体を、駆動機構との連結を解除した後、後方の開口部から引っ張ると、該揺動選別体の前側に設けた係合部材がガイドレール上面をスライドして後方へ移動し、ガイドレールの後端側に至ると前記係合部材がガイドレールの係合部と係合してその移動が阻止され、該係合状態で揺動選別体の後端部を下方へ回動させ、その後端を地面もしくは予め該地面上に置いた載置台上に載置すれば、揺動選別体は機体の後部に立掛状態となって保持され、この状態において揺動選別体及び脱穀機内の掃除及びメンテナンス作業を行うことができるものであり、従来の如く揺動選別体を完全に機外に取り出す必要がなく、しかも、該揺動選別体はガイドレール上に支持された状態でこれを単に引き出すだけでよいため、重量の重い揺動選別体であっても一人作業で容易に作業を遂行することができる。
【０００７】
【発明の実施の形態】
本発明の一実施形態を図面に基づいて説明する。図１において、Ａはコンバイン等収穫機のクローラ式走行装置１ｇを有する機台Ｂ上に搭載した脱穀機であり、該脱穀機Ａは機体１に構成される扱室２に沿ってフイードチェン３を前後方向に張設すると共に、終端部に排藁搬送帯３ａを連設し、刈取穀稈を扱室２に供給して脱穀処理し処理済の排稈を機体１の後部に設置した排稈処理装置（カッター）Ｃに搬送し後処理を行うようにしている。
【０００８】
上記フイードチェン３は、図８に示す如くその上方に挟扼レール３１が対向して設けられ、該挟扼レール３１は従来と同様に複数個のレール片３１ａ・・を上下揺動自在に枢支連結したもので、各枢支連結部３１ｂ・・に立設したレールピン３１ｃ・・が機体１に固着された支持腕３１ｄ・・に弾機３１ｅ・・を介して上下動自在に挿通されている。そして挟扼レール３１の略中央部に位置するレールピン３１ｃの上方にはセンサーアーム３２が上下揺動自在に枢着されていると共に、該センサーアーム３２の上部には脱穀クラッチ１ｋ及びエンジン１ｊ等の作動部と連結したマイコン１ｍの入力センサー（詰りセンサー）１ｓが臨ませてある。
【０００９】
従って、脱穀作業中（脱穀クラッチ０Ｎ状態）、フイードチェン３と挟扼レール３１間に扱室２に対する許容以上の穀稈が搬送されてきた場合には、前記中央部のレールピン３１ｃが大きく上昇しセンサーアーム３２を上方に回動して入力センサー１ｓを作動させ、その入力信号によりマイコン１ｍがエンジン１ｊを停止させるものであり、過負荷による穀稈の詰まりや扱室２の破損等を未然に防止するようになっている。尚、前記入力センサー１ｓは挟扼レール３１の中央部ではなく搬送終端側に設けてもよく、また、入力センサー１ｓはセンサーアーム３２を介することなくレールピン３１ｃにより直接作動させるようにしてもよい。
【００１０】
上記脱穀機Ａは、扱室２を構成する扱胴２ａ及び扱網２ｂの終端穂先側に、処理胴２ｃ及び処理網２ｄを内装する処理室２ｅを連設し、これらの下方で機体１の前後に設置した送風ファン４と排塵ファン５によって形成される選別風路Ｆ内に、揺動選別体６を前後方向に揺動可能に装架すると共に、揺動選別体６の下方に一番物を揚穀筒７ａを介して穀粒タンク７ｂに収容する一番樋７、及び二番物を還元筒７ｃを介して揺動選別体６に還元する二番樋７ｄを配置し、両者の間に揺動選別体６のストローラック６４部分に向けて下方から副選別風を送風する送風ファン７ｅを設けて構成している。
【００１１】
上記機体１後部に設置される排塵ファン５は、ファンケース５１内にドラム状の横断流ファン５２を内装した状態で、脱穀機Ａの両機壁１ａ後部に入り込ませて形成した開口部Ｋに、ファンケース５１の左側を縦軸５３により開閉可能に支持すると共に、右側を係止具（不図示）により機壁１ａに係脱可能に止着し、該係止具を解除し縦軸５３を中心に側方に回動させることにより、開口部Ｋを開放した回動状態へと切換可能に構成している。
【００１２】
そして、排藁処理装置Ｃは右側の縦軸（不図示）を中心に側方に回動可能に取り付けられており、前記開口部Ｋを開放する際には排塵ファン５と共に互いが観音開き状となるように大きく開放し、機体１の後部を障害物のない状態に広く開放し、揺動選別体６の引き出し及び収納作業を簡単に能率よく行うことができると共に、脱穀機Ａ内の清掃や点検整備等のメンテナンス作業を容易に行うことができるようにしている。
【００１３】
上記揺動選別体６は、左右の側壁６ａ間に前方から移送板６１及びチャフシーブ６２を、また該チャフシーブ６２の下方には濾過体８を張設し、その下方に前記一番樋７に一番物を流下させる一番流板６３を斜設すると共に、該一番流板６３の後端部にストローラック６４を突設し、その下方に前記２番樋７ｄに二番物を流下させる二番流板６５を斜設して、これらを一体的に枠組み構成している。
【００１４】
そして、上記構成によりなる揺動選別体６は、その前後を後述する支持リンク２０と駆動機構１０とにより揺動駆動及び着脱可能に支持し、解除された状態において、左右両機壁１ａの内側に突設したガイドレール１ｂ上に、該揺動選別体６の前側底部において左右両側に設けた係止部材６６を載置させ、揺動選別体６を前後方向にスライド可能に案内してその出入作業を容易に行うようにしている。
【００１５】
上記揺動選別体６の前側底部に設けられる係止部材６６は、図６及び図７の（Ａ）に示すように揺動選別体６の側壁６ａにブラケット６ｅを介して固着した後方向の鉤型係止体６６ａで構成されており、該鉤型係止体６６ａがガイドレール１ｂ上を滑走することにより揺動選別体６を出し入れすものであるが、ガイドレール１ｂの後端部には前記鉤型係止体６６ａが係合する係合部１９が設けられている。該係合部１９はガイドレール１ｂの後端部に係合穴１ｃを介して係合片１ｄが固設されており、揺動選別体６を後方に引き出した際に、その鉤型係止体６６ａが係止穴１ｃに嵌入し係合片１ｄと係合するようになっており、該係合状態において係合片１ｄを支点として揺動選別体６を下方に向け回動することができるようになっている。６ｄは揺動選別体６の側壁６ａと機壁１ａ間から処理物が落下しないように前記側壁６ａに設けたゴム等の弾性体からなる隙間閉板である。
【００１６】
また、上記係止部材６６と係合部１９を構成するに、図６及び図７の（Ｂ）に示すように、係止部材６６をブラケット６ｅに支軸６ｂを介して回転可能に軸架したローラ６ｃで構成し、また、係合部１９は前記ローラ６ｃが嵌入するようにガイドレール１ｂに断面略Ｖ字状の凹部１ｅを形成したものでもよく、このように構成した場合には、ガイドレール１ｂ上を転動するローラ６６ｂにより揺動選別体６をより軽快に引き出すこができると共に、ローラ６６ｂを凹部１ｅに嵌入係止さることによって、該ローラ６６ｂの支軸６ｂを支点として揺動選別体６を容易に下方に回動することができるものである。
【００１７】
図２〜図５に示すように、揺動選別体６は、駆動機構１０を揺動選別体６の二番流板６５の裏側に沿って取着した受動軸６５ａに、リンクメタル１１のベアリング１２を軸装すると共に、該リンクメタル１１の端部に形成した嵌合突起１３，１３を前後に有する平坦面状の取付面１４を、機体１に軸支した断面四角形状の駆動軸１５の平坦面１６に嵌着させて、スタットボルト１７及びテーパナット１８を介し着脱可能に安定よく強固に固定している。上記駆動軸１５は、その端部に固着した駆動リンク１５ａを、一番螺旋軸７１に取着した偏心輪７２と揺動リンク７３で連結して駆動され、これにより揺動選別体６は前方を支持リンク２０で支架した状態で前後方向に揺動運動される。
【００１８】
また、上記支持リンク２０は機体１に回動可能に軸支した支持軸２１の両側に固着されており、その上端部に揺動選別体６に設けた係脱部６０に係合する係合軸２２をベアリング２３を介して回動可能に軸支している。上記係脱部６０は揺動選別体６の両側板６ａに取着された取付板６０ａの前方を楔形状に切欠くことにより形成し、その切欠部６０ｂに係合軸２２を係合させた状態で、取付板６０ａに回動可能に軸支したストッパ６０ｃを上方に回動しボルト６０ｄで固定することにより係脱部６０と係合軸２２を係合状態にロックするようにしている。尚、機壁１ａには前記係合軸２２が嵌挿されており、その揺動を許容するためと、前記ストッパ６０ｃを操作するための開口部１ｈが形成さており、該開口部１ｈにはゴム板等の変形可能な蓋体１ｆを設け、係合軸２２が揺動する部分は揺動方向に切目を入れて係合軸２２を挿通させている。
【００１９】
以上の構成により、扱室２及び処理室２ｅで脱穀された脱穀物は、扱網２ｂ，処理網２ｄ等から漏下し、揺動選別体６上で揺動運動及び選別風による選別作用を受けて選別され、一番物は一番流板６３から一番樋７及び揚穀筒７ａを介して穀粒タンク７ｂに収容されると共に、ストローラック６４から漏下した二番物は、二番流板６５から二番樋７ｄ及び還元筒７ｃを介し揺動選別体６の前方に還元され再選別が行われる。また機体内で発生する藁屑等からなる排塵物はファンケース５１の後壁に沿って誘導され排塵ファン５で機外に向けて速やかに吸引排出される。
【００２０】
このような脱穀機において、揺動選別体６又は機体内の清掃及び点検整備等のメンテナンス作業を行う場合には、排藁処理装置Ｃを側方に開動すると共に、排塵ファン５を縦軸５３を支点に上記排藁処理装置Ｃが開動される側とは反対方向の側方に開動させることにより、機体１後部は観音開き状に広く開放されると共に、支持リンク２０及び駆動機構１０の固定を解除するすることにより揺動選別体６の係止部材６６ａをガイドレール１ｂに載せて後方に引き出すことができる。
【００２１】
即ち、先ず、機体１前部の蓋体１ｆを弾性変形させ開口部１ｈからボルト６０ｄを緩めストッパ６０ｃを下方に回動することにより、切欠部６０ｂと係合軸２２との係合状態を解除し、次いでテーパナット１８を緩めて駆動機構１０のメタルリンク１１と駆動軸１５との接合を解除することにより、揺動選別体６を自由状態となし、その前部の鉤型係止体６６ａをガイドレール１ｂ上に支持案内させた状態で機体１の後方へ引き出すと、鉤型係止体６６ａはガイドレール１ｂ上を滑走し後端部において前記鉤型係止体６６ａの先端がガイドレール１ｂの係合穴１ｃ内に嵌入すると同時に鉤型係止体６６ａの鉤部が係合片１ｄと係合し、それ以上の揺動選別体６の引き出しを阻止して引き出し過ぎによる揺動選別体６の落下を防止すると共に、該係合状態において係合片１ｄを支点として揺動選別体６を下方に回動しその後端を直接地面上に載置するか、または、予め準備した適宜高さの載置台Ｘ（高さ調節可能なジャッキＸ1 を用いても良い）上に載置すれば、揺動選別体６は機体１の後部に安定よく立て掛け状態に支持されるため、この状態において揺動選別体６並びに脱穀機Ａ内の清掃作業を能率よく行う。
【００２２】
そして上記メンテナンス作業を終えた後は、機体１の後方から上述と逆な操作により揺動選別体６を簡単に所定位置に装着すると共に、排塵ファン５及び排稈処理装置Ｃを元の作業位置にセットすることにより、脱穀作業を再び良好に行うことができる。
なお、載置台Ｘを用いた場合、その高さの高低により揺動選別体６の立掛傾斜角度を任意に設定することができ、該揺動選別体６の下方に形成される空間部の大きさも任意に設定することができる。
【００２３】
【発明の効果】
本発明は上記の如く構成したので、請求項１の発明により、揺動選別体をガイドレール上に支持させた状態で容易に引き出すことができ、引出端部において係止部材とガイドレールに設けた係合部とが自動的に係合することにより、それ以上の揺動選別体の引き出しを阻止して引き出し過ぎによる揺動選別体の落下を防止すると共に、該係合部を支点として下方に回動させ、その後端部を地面に直接もしくは載置台を介して載置させることにより、揺動選別体を立掛状態に保持して該揺動選別体並びに脱穀機内の清掃等メンテナンス作業を能率よく行うことができる。
【００２４】
特に、従来は、重い揺動選別体を完全に機外に取り出すために数人の作業者を要していたが、本発明においては、揺動選別体をガイドレール上を引き出しこれを立掛状態にするだけのものであるから、一人の作業者で極めて容易に行うことが可能となり、省力化を図ることができる。
しかも、揺動選別体は、係止部材と係合部との係合によって極めて安定した状態で立掛状態に保持されるため、メンテナンス作業を安全に行うことができると共に、揺動選別体が立掛状態であるため濾過体等に付着する挟雑物を表裏から除去することが可能となって能率的な清掃作業が行うことができる。
【００２５】
請求項２の発明により、揺動選別体を立掛状態にするための係止部材が、揺動選別体のスライド部材を兼ねているため、係止部材をガイドレール上に支持させた状態で揺動選別体を引き出す事ができると共に、別途スライド部材を設ける必要がなく構成が簡潔となる。
【図面の簡単な説明】
【図１】脱穀機の側断面図である。
【図２】揺動選別体の装着状態を示す側面図である。
【図３】揺動選別体の装架状態を示す平断面図である。
【図４】揺動選別体の支持リンクへの係脱部を示す側面図である。
【図５】揺動選別体の駆動機構を示す斜視図である。
【図６】（Ａ）揺動選別体のガイドレール部と係止部材の構成を示す後断面図である。
（Ｂ）同上他の実施例を示すものである。
【図７】（Ａ）揺動選別体の係止部材とガイドレールの係合部を拡大して示す側面図で  ある。
（Ｂ）同上他の実施例を示すものである。
【図８】挟扼レールの作用状態を示す拡大側面図である。
【図９】揺動選別体の引き出し状態を示す作用説明図である。
【符号の説明】
１      機体
１ａ    機壁
１ｂ    ガイドレール
１ｃ    係合穴
１ｄ    係合片
２      扱室
６      揺動選別体
１０    駆動機構
１９    係合部
２０    支持リンク
２２    係合軸
６０    係脱部
６６    係止部材
６６ａ  鉤型係止体
Ａ      脱穀機
Ｆ      選別風路
【図１】
0003712896.tif 000002
【図２】
0003712896.tif 000003
【図３】
0003712896.tif 000004
【図４】
0003712896.tif 000005
【図５】
0003712896.tif 000006
【図６】
0003712896.tif 000007
【図７】
0003712896.tif 000008
【図８】
0003712896.tif 000009
【図９】
0003712896.tif 000010